(57)【要約】【課題】他の無線機との通信を簡易に行うことができるようにする。【解決手段】各中継局の識別情報と関連付けて当該中継局の名称と、当該中継局から他の中継局への通信経路の設定に必要な情報を記憶したメモリリストと、自局の識別情報と、相手局の識別情報と、自局と相手局の属する中継局の名称とを前記メモリに入力する入力操作手段と、通信フレームの生成を指示する通信操作手段と、前記通信操作手段の操作に応答して、前記メモリに入力された中継局の名称によって、前記メモリリストを検索し、当該中継局の識別情報と、他の中継局との通信経路の設定に必要な情報とを取り出す情報取り出し手段と、前記入力された自局と相手局の識別情報と、前記取り出された、中継局の識別情報と、自局の属する中継局から相手局の属する中継局への通信経路の設定に必要な情報とを挿入して前記通信フレームを生成する通信フレーム生成手段と、を備える。【選択図】図１
2010193315.tif 000002
【特許請求の範囲】
【請求項１】
複数の通信機間で複数の中継局を介して互いに通信を行うことができる通信システムに用いられる通信機であって、
各中継局の識別情報と、当該中継局から他の中継局への通信経路の設定に必要な情報を記憶したメモリと、
自局の属する中継局と通信先の中継局とを特定する情報とを入力する入力操作手段と、
操作されたことによって、通信フレームの生成を指示する通信操作手段と、
前記通信操作手段の操作に応答して、前記入力された中継局を特定する情報をキーとして、当該中継局の識別情報と、他の中継局との通信経路の設定に必要な情報とを検索する情報検索手段と、
前記検索された、中継局の識別情報と、自局の属する中継局から通信先の中継局への通信経路の設定に必要な情報とを挿入して前記通信フレームを生成する通信フレーム生成手段と、
を備えることを特徴とする通信機。
【請求項２】
前記通信経路の設定に必要な情報は、中継局が属するゲートウェイを特定する情報を含み、
自局が属する中継局のゲートウェイを特定する情報と通信先が属する中継局のゲートウェイを特定する情報が一致するか否かを判定するゲートウェイ判定手段を、さらに備え、
前記通信フレーム生成手段は、前記判定により、自局と通信先のゲートウェイが一致する場合に通信先の中継局の識別情報を前記通信フレームに挿入し、一致しない場合に自局が属するゲートウェイの識別情報を前記通信フレームに挿入する、
ことを特徴とする請求項１に記載の通信機。
【請求項３】
前記ゲートウェイを特定する情報がゲートウェイの識別番号である、
ことを特徴とする請求項２に記載の通信機。
【請求項４】
前記メモリは、各中継局の識別情報と関連付けて当該中継局の名称を記憶し、
前記入力操作手段は、中継局の名称を、前記中継局を特定する情報として入力する、
ことを特徴とする請求項１乃至３のいずれか１項に記載の通信機。
【請求項５】
前記メモリに記憶される、通信経路の設定に必要な情報は、各中継局への送信用周波数情報を含み、
前記情報検索手段は、自局の属する中継局を特定する情報が入力されると、前記メモリから当該中継局への送信用周波数情報を検索して、自局の送信周波数を設定する、
ことを特徴とする請求項１乃至４のいずれか１項に記載の通信機。
【請求項６】
前記通信フレーム生成手段は、通信先の中継局を特定する情報が入力されない場合に自局が属するゲートウェイの識別情報を前記通信フレームに挿入する、
ことを特徴とする請求項１乃至５のいずれか１項に記載の通信機。
【請求項７】
複数の通信機間で複数の中継局を介して互いに通信を行うことができる通信システムに用いられる通信機を制御するコンピュータに、
入力された中継局を特定する情報をキーとして、メモリに記憶された、当該中継局の識別情報と、他の中継局との通信経路の設定に必要な情報とを検索する情報検索ステップと、
前記検索された、中継局の識別情報と、自局の属する中継局から相手局の属する中継局への通信経路の設定に必要な情報とを挿入して通信フレームを生成する通信フレーム生成ステップと、
を実行させることを特徴とする通信制御プログラム。
【発明の詳細な説明】
【技術分野】
【０００１】
本発明は、通信機及び通信制御プログラムに関する。
【背景技術】
【０００２】
ネットワークにより相互に接続された複数の中継局（レピータ）とゲートウエイを介して、通信機間で通信を行うように構成された無線通信システムが存在する（特許文献１参照）。この通信システムにおいて、相手先と通信を行うためには、通信機に、自局の識別情報（コールサイン）及び送信先（相手局）の識別情報、通信経路上に設置された中継局（レピータ）やゲートウエイの識別情報、中継局と交信する周波数や電波形式など、多数の情報を入力する必要がある。このため、通信開始時の設定が煩雑である。特に、通信機に割り当てられている識別情報（コールサイン）は、ユーザにとって認識しづらいものが多く、また、通信経路の途中の中継局やゲートウェイの認識はしにくい。このため、設定は容易ではなく、誤入力が起こりやすい。
【０００３】
そこで、通信信号を傍受し、受信データに含まれる通信先の識別情報を表示及び記憶することにより、設定を容易化した通信機が開発されている（特許文献２参照）。
【先行技術文献】
【特許文献】
【０００４】
【特許文献１】特開２００６−１０８８２３号公報
【特許文献２】特開２００６−１８６８８３号公報
【発明の概要】
【発明が解決しようとする課題】
【０００５】
特許文献２に開示された通信機は、通信装置やレピータの識別情報しか記憶できず、中継局の周波数や電波形式などを設定する必要があり、依然として、設定動作は煩雑である。
【０００６】
さらに、特許文献２に開示された通信機は、傍受した通信データに含まれる識別情報を記憶するのであって、傍受していない情報については、ユーザ自身が設定する必要がある。
【０００７】
また、アマチュア無線では、相手局を不特定として通信することができるが、その際の設定はさらに煩雑である。
【０００８】
図１７に、相手局を不特定とする設定と、相手局を特定する設定とを比較して示す。
図表８１に示すように、送信先の無線局Ｒ１０が不特定の相手局に対する通信であるＣＱを出す場合、送信先無線局の位置Ｒ１１が同一のエリア内及びゾーン内の別エリアでは、Ｌ１１及びＬ１２に示すように、送信先無線局のコールサインＲ１５は、ＣＱＣＱＣＱであり、ゾーン外の別ゾーンへの通信では、Ｌ１３に示すように、送信先中継局コールサインの先頭に「／」をつけたものとする。また、送信先中継局のコールサインＲ１４は、同一エリア内では、Ｌ１１に示すように、送信元中継局コールサイン、同一ゾーン内の別エリアでは、Ｌ１２に示すように、送信先中継局コールサイン、別ゾーンでは、Ｌ１３に示すように、送信元のゲートウェイのコールサインという具合に３つのケースですべて異なる。
【０００９】
このように、所望のエリア内の不特定の相手局と通信するためには、送信元中継局のコールサインＲ１３のみならず、送信元中継局が属するＧＷのコールサイン、呼び出しをするエリアの中継局が同じゾーンに属しているか否かを正確に把握して、送信先中継局のコールサインＲ１４、送信先無線局のコールサインＲ１５を適切に入力する必要がある。
ユーザは、送信元中継局のコールサインＲ１３は通常把握しているが、ＧＷのコールサインや、相手先の中継局が同じゾーンに属しているかを把握していないことがあり、必要な情報の入力が困難である。
【００１０】
また、携帯型の通信機に関しては、移動により、送信元となる中継局が変わることがある。このような場合、変更後の中継局と送信しようとする中継局の通信経路を把握するのは困難であり、必要な情報の入力は困難である。
【００１１】
また、特定局を呼び出す場合であっても、携帯型の通信機に関しては、同様に、通信経路の全体について把握する必要があった。特定相手局と通信する場合の送信先無線局のコールサインＲ１５は、Ｌ１４乃至Ｌ１６に示すように、相手局のコールサインであり、３つのケースですべて同じである。送信元に関しては、Ｒ１２及びＲ１３においてＬ１１乃至Ｌ１６に示すように、無線局は無線局のコールサイン、中継局は中継局のコールサインであり、特定か不特定かの区別なく、それぞれ３つのケースですべて同じである。このように、入力する情報が状況によって異なり、操作が煩わしい。
【００１２】
本発明は、上記実情に鑑みてなされたものであり、識別情報や設定情報を簡易に入力することができる通信機及び通信制御プログラムを提供することを目的とする。
また、本発明は、識別情報や設定情報を簡易に入力することができる通信機及び通信制御プログラムを提供することを目的とする。
【課題を解決するための手段】
【００１３】
上記課題を解決するため、本発明の第１の観点に係る通信機は、
複数の通信機間で複数の中継局を介して互いに通信を行うことができる通信システムに用いられる通信機であって、
各中継局の識別情報と、当該中継局から他の中継局への通信経路の設定に必要な情報を記憶したメモリと、
自局の属する中継局と通信先の中継局とを特定する情報とを入力する入力操作手段と、
操作されたことによって、通信フレームの生成を指示する通信操作手段と、
前記通信操作手段の操作に応答して、前記入力された中継局を特定する情報をキーとして、当該中継局の識別情報と、他の中継局との通信経路の設定に必要な情報とを検索する情報検索手段と、
前記検索された、中継局の識別情報と、自局の属する中継局から通信先の中継局への通信経路の設定に必要な情報とを挿入して前記通信フレームを生成する通信フレーム生成手段と、
を備えることを特徴とする。
【００１４】
前記通信経路の設定に必要な情報は、中継局が属するゲートウェイを特定する情報を含み、
自局が属する中継局のゲートウェイを特定する情報と通信先が属する中継局のゲートウェイを特定する情報が一致するか否かを判定するゲートウェイ判定手段を、さらに備え、
前記通信フレーム生成手段は、前記判定により、自局と通信先のゲートウェイが一致する場合に通信先の中継局の識別情報を前記通信フレームに挿入し、一致しない場合に自局が属するゲートウェイの識別情報を前記通信フレームに挿入する、ことが望ましい。
【００１５】
前記ゲートウェイを特定する情報がゲートウェイの識別番号である、ことが望ましい。
【００１６】
前記メモリは、各中継局の識別情報と関連付けて当該中継局の名称を記憶し、
前記入力操作手段は、中継局の名称を、前記中継局を特定する情報として入力する、
ことが望ましい。
【００１７】
前記メモリに記憶される、通信経路の設定に必要な情報は、各中継局への送信用周波数情報を含み、
前記情報検索手段は、自局の属する中継局を特定する情報が入力されると、前記メモリから当該中継局への送信用周波数情報を検索して、自局の送信周波数を設定する、ことが望ましい。
【００１８】
前記通信フレーム生成手段は、通信先の中継局を特定する情報が入力されない場合に自局が属するゲートウェイの識別情報を前記通信フレームに挿入するようにしてもよい。
【００１９】
上記課題を解決するため、本発明の第２の観点に係る通信制御プログラムは、
複数の通信機間で複数の中継局を介して互いに通信を行うことができる通信システムに用いられる通信機を制御するコンピュータに、
入力された中継局を特定する情報をキーとして、メモリに記憶された、当該中継局の識別情報と、他の中継局との通信経路の設定に必要な情報とを検索する情報検索ステップと、
前記検索された、中継局の識別情報と、自局の属する中継局から相手局の属する中継局への通信経路の設定に必要な情報とを挿入して通信フレームを生成する通信フレーム生成ステップと、
を実行させることを特徴とする。
【発明の効果】
【００２０】
本発明によると、ユーザは中継局の名称を入力することにより、中継局間の通信経路を設定することができる。よって、煩雑な入力操作の必要がなく、通信機の操作性が向上する。
【図面の簡単な説明】
【００２１】
【図１】通信システム全体の構成を示すブロック図である。
【図２】図１に示す端末系中継局の内部構成を示すブロック図である。
【図３】本発明の一実施形態に係る無線機のブロック図である。
【図４】無線機に格納されるリストの例を説明する図である。
【図５】無線機が送信する信号の通信フレームを示す図である。
【図６】（ａ）は、操作部からユーザが入力する設定情報の具体例を示す図、（ｂ）は、通信経路が自ゾーン内に留まる場合に生成されるヘッダ部の構成を示す図、（ｃ）は、通信経路が他ゾーンに及ぶ場合に生成されるヘッダ部の構成例を示す図である。
【図７】無線機に通信経路情報を設定する処理を説明するためのフローチャートである。
【図８】（ａ）は、他ゾーンに属す特定の無線機と通信するために、操作部からユーザが入力する設定情報の具体例を示す図、（ｂ）は、送信元端末系中継局が属すゾーンのゲートウエイのコールサインを示す図、（ｃ）は、生成されるヘッダ部の構成例を示す図、（ｄ）は、通信経路が他ゾーンに及ぶ場合に生成されるデータの構成例を示す図である。
【図９】（ａ）は、他ゾーンに送信するために修正された送信フレームの構成例を示す図であり、（ｂ）はインターネット上を伝送される通信パケットの構成例を示す図である。
【図１０】（ａ）は、他ゾーンの特定のエリアに属す不特定の無線機を呼び出すために操作部からユーザが入力する設定情報の具体例を示す図、（ｂ）は、生成されるヘッダ部の構成例を示す図、（ｃ）は、生成されるフレームの構成を示す図である。
【図１１】（ａ）は、自ゾーンに属す特定の無線機と通信するために、操作部からユーザが入力する設定情報の具体例を示す図、（ｂ）は、生成されるヘッダ部の構成例を示す図、（ｃ）は、生成されるフレームの構成を示す図である。
【図１２】（ａ）は、自ゾーンの特定のエリアに属す不特定の無線機を呼び出すために操作部からユーザが入力する設定情報の具体例を示す図、（ｂ）は、生成されるヘッダ部の構成例を示す図、（ｃ）は、生成されるフレームの構成を示す図である。
【図１３】（ａ）は、自ゾーンの自エリアに属す不特定の無線機を呼び出すために操作部からユーザが入力する設定情報の具体例を示す図、（ｂ）は、生成されるヘッダ部の構成例を示す図、（ｃ）は、生成されるフレームの構成を示す図である。
【図１４】通信を行う際にユーザが想定する通信システムの構成をイメージ的に表した図である。
【図１５】コールサインを設定するためにモニタに表示される画面の例を示す図である。
【図１６】不特定局を相手先とする場合にコールサインを設定する処理を説明するためのフローチャートである。
【図１７】コールサインを設定する例を示す図である。
【発明を実施するための形態】
【００２２】
以下、この発明の実施の形態に係る無線機について説明する。
【００２３】
まず、本実施の形態に係る無線機１５が使用されるインフラとしての通信システム１００について図１を参照して説明する。
【００２４】
この通信システム１００は、図示するように、複数のゾーンネットワーク（内部ネットワーク）２０（２０A，２０B，．．．）がインターネットＩＮに接続された構成を有する。
【００２５】
各ゾーンネットワーク２０は、それぞれ、１又は複数のエリアネットワーク２１（２１１，２１２，．．．）から構成される。
各エリアネットワーク２１は、端末系中継局３１（３１１，３１２，３１３，３１４，．．．）と、幹線系中継局３２（３２１，３２２，３２３，３２４，．．．）と、該端末系中継局３１に無線通信可能に構成された複数の無線機１５と、とから構成されている。
【００２６】
各端末系中継局３１（３１１，３１２，３１３，３１４，．．．）と、各幹線系中継局３２（３２１，３２２，３２３，３２４，．．．）と、各無線機１５と、には、識別情報として、コールサインが割り当てられている。また、各端末系中継局３１１，３１２，３１３，３１４，．．．には、名称「Ｎｂ」、「Ｎｃ」、「Ｎｄ」、「Ｎａ」が割り当てられている。
コールサインは、通信システム１００において、各装置を識別するための識別情報であり、各装置は、通信システム１００上で、このコールサインにより特定される。
【００２７】
一方、名称は、端末系中継局３１を特定するための情報である。通信機器類は、この名称を直接利用することはなく、人間がわかりやすいように付されたものであり、例えば、その端末系中継局３１が設置されている地域（エリア）の名称（例えば、大手町１、霞ヶ関１，品川１．．．など）、設置管理者の名称、愛称（にゃんこちゃん、わんこちゃん）等、人間が容易に認識・識別できるようなものが設定されている。
【００２８】
各端末系中継局３１は、図２に示すように、同一の周波数帯で通信を行うレピータが最大４台設置されている。各レピータは、端末系中継局３１に付されたコールサインに、Ａ〜Ｄの添え字を付加して識別する。無線機１５から該レピータへ無線送信（アップリンク）を行う周波数と、該レピータから無線機１５への無線送信（ダウンリンク）を行う周波数とは、一定周波数だけオフセットしている。
【００２９】
各ゾーンネットワーク２０（２０A，２０B，．．．）におけるいずれかのエリアネットワーク２１（２１１，２１２，２１３，．．．）の端末系中継局３１（３１２，３１３，．．．）は、ゲートウエイ（ＧＷ)４１（４１A，４１B，．．．）を介してインターネットＩＮに接続されている。各ゲートウエイ（ＧＷ)４１（４１A，４１B，．．．）には、コールサインと共にグローバルＩＰ（インターネットプロトコル）アドレスが付されている。
【００３０】
また、同一のゾーンネットワーク２０に属す各エリアネットワーク２１の幹線系中継局３２（３２１と３２２，３２３と３２４，．．．）は幹線ＭＬを介して相互に接続されている。
【００３１】
次に、上述の無線機１５について説明する。
無線機１５は、図３にブロック図で示すように、アンテナ１と、送受信切替部２と、送信部３と、受信部４と、音声Ａ／Ｄ・Ｄ／Ａ（アナログ／ディジタル・ディジタル／アナログ）変換部５と、コントローラ６と、増幅器７と、マイク８と、スピーカ９と、操作部１０と、モニタ１１と、を備える。
【００３２】
アンテナ１は、通信相手となる端末系中継局３１（自エリアを管轄する端末系中継局）から送信された無線信号を受信する。また、管轄端末系中継局３１に無線信号を送信する。
【００３３】
送受信切替部２は、送信部３から入力された送信用信号をアンテナ１に出力し、アンテナ１から入力された受信信号を受信部４に出力する。
【００３４】
送信部３は、ＧＭＳＫ（Gaussian filtered Minimum Shift Keying）変調方式に基づいて、入力された音声信号およびデータ信号を変調し、さらに、コントローラ６から指示された送信周波数に周波数を変調し、送受信切替部２に出力する。なお、音声信号は、音声Ａ／Ｄ・Ｄ／Ａ変換部５から供給され、データ信号は、コントローラ６から供給される。
【００３５】
受信部４は、コントローラ６により指示された周波数の信号を選択的に受信するチューニング機能と、受信信号をＧＭＳＫ変調方式に基づいて復調する復調機能を備え、端末系中継局３１からの信号を選択的に受信し、復調する。ここでは、受信部４は、復調を行う。
【００３６】
音声Ａ／Ｄ・Ｄ／Ａ変換部５は、音声信号をアナログ信号とディジタル信号間で信号変換を行うアナログ−ディジタル変換機能を備える。
【００３７】
コントローラ６は、この無線機１５の動作の制御を行う。コントローラ６は、ＣＰＵ（中央処理装置）６ａ、不揮発性メモリ６ｂ、ＲＡＭ（読み書き可能メモリ）６ｃを備える。
【００３８】
不揮発性メモリ６ｂは、フラッシュメモリ等から構成され、コントローラ６が無線機１５の動作を制御するための制御プログラムを格納する。コントローラ６は、この制御プログラムに基づいて、無線機１５が送信機および受信器として機能するよう制御する。
【００３９】
また、不揮発性メモリ６ｂは、図４に示す中継局のリスト７１を記憶している。このリスト７１には、各端末系中継局３１の名称に関連付けて当該端末系中継局３１から他の端末系中継局３１への通信経路の設定に必要な設定情報が記憶されている。この設定情報は、無線機１５の製造時にデフォルトとして不揮発性メモリ６ｂに記憶され、ユーザは操作部１０を操作して、適宜変更を加えることができる。
【００４０】
図４に示すように、リスト７１には、ゾーン番号Ｒ０と、端末系中継局３１の名称Ｒ１と、該当端末系中継局３１のコールサイン（識別情報）Ｒ２と、対応するゾーンに設置されているゲートウェイ４１のコールサインＲ３と、該当端末系中継局３１のダウンリンク周波数Ｒ４と、該当端末系中継局３１のオフセット量Ｒ５とが対応付けて登録されている。
【００４１】
ゾーン番号Ｒ０は、図１の通信システム１００で使用されるゾーンの符号である。ゾーン番号Ｒ０が同じである端末系中継局３１は、同じゲートウェイ４１に属する。
【００４２】
端末系中継局の名称Ｒ１は、端末系中継局３１を特定するための情報である。上述のように、通信機器類は、この名称Ｒ１を直接利用することはなく、人間がわかりやすいように付されたものである。
【００４３】
端末系中継局のコールサインＲ２は、該当端末系中継局３１に割り当てられた識別情報であり、端末系中継局３１は、通信システム１００上で、このコールサインにより特定される。
【００４４】
ゲートウェイのコールサインＲ３は、その端末系中継装置３１が属すゾーンに設定されているゲートウェイのコールサインである。
【００４５】
ダウンリンク周波数Ｒ４は、該当する端末系中継局３１から無線機１５への通信周波数を示す。
【００４６】
オフセットＲ５は、から無線機１５端末系中継局３１に信号を送信するアップリンク周波数の、ダウンリンク周波数からのずれ量を示す。例えば、ダウンリンク周波数ＦＤ、オフセットＦＯの場合、アップリンク周波数ＦＵはＦＤ＋ＦＯである。
【００４７】
一例を示すと、図１に示す通信システム１００のエリア１には、端末系中継局３１１が設置されており、この端末系中継装置３１１に、「Ｎｂ」という名称、「ｂｂｂ」というコールサインが付されており、この端末系中継局３１１のダウンリンク周波数ＦＤ＝４３９．４ＭＨｚ、アップリンク周波数ＦＵ＝（４３９．４−５）ＭＨｚとする。この場合、リスト７１の行Ｌ１に示すように、ゾーン番号Ｒ０として「Ａ」、端末系中継局の名Ｒ１として「Ｎｂ」、端末系中継局のコールサインＲ２として「ｂｂｂ」、ゲートウエイのコールサインＲ３として、ゾーンＡに設置されているゲートウエイ４１Ａのコールサイン「ｃｃｃＧ」、ダウンリンク周波数「４３９．４」ＭＨｚ、オフセット「−５」が格納される。
【００４８】
なお、Ｒ００にて図示するように、所望のレピータ、例えばＮｂ、Ｎｃ、Ｎｄをまとめて「グループ１」というグループ名をつけてグルーピングしてもよい。その際、「グループ２」のように単独のレピータを１つのグループとしてもよい。このように、ゾーンを意識せずにレピータを指定できるようにした結果、ユーザが自由にレピータをグループ分けすることができる。
【００４９】
また、コントローラ６は、通信フレームＦに挿入するビット同期信号、フレーム同期信号、Ｐ＿ＦＣＳ、データフレーム等のデータを生成し、送信部３に供給する。なお、送信部３でこれらのデータを生成してもよい。
【００５０】
増幅器７は、マイク８から供給された音声信号を増幅し、音声Ａ／Ｄ・Ｄ／Ａ変換部５に供給する。また、増幅器７は、音声Ａ／Ｄ・Ｄ／Ａ変換部５から供給された音声信号を増幅して、スピーカ９に供給する。
【００５１】
マイク８は、ユーザの通話音を取得し、音声信号として増幅器７に供給する。
【００５２】
スピーカ９は、増幅器７から供給された音声信号に基づき、通信相手である他の無線機１５のユーザの通話音を出力する。
【００５３】
操作部１０は、無線機１５に指示や情報を入力するための装置である。操作部１０には各種の操作キーが設けられており、ユーザが操作キーを操作して各種の入力を行うことにより、その入力に基づく動作を無線機１５に行わせることができる。
操作部１０は、自局と相手局のコールサインや中継局の名称を入力するための入力部と、これら入力情報を取り込んで通信フレームＦのヘッダ部Ｈを生成するための通信フレーム生成指示部を備える。
【００５４】
操作部１０に対する操作の内容は、コントローラ６により検出される。即ち、コントローラ６は、操作された操作キーの種類や、操作キーに対する操作の内容を検出する。そして、コントローラ６は、操作キーによって入力された内容を判別し、入力された内容に応じた動作を行うように、無線機１５を制御する。
【００５５】
モニタ１１は、液晶ディスプレイ等からなるモニタ画面１１ａを備えて構成される。モニタ画面１１ａには、ユーザに対する無線機１５の動作状態の報知や、ユーザに対する操作部１０による入力を促すメッセージ等が表示される。
【００５６】
次に、上記構成の無線機１５から特定局を呼び出す場合の動作を説明する。
【００５７】
無線機１５は、図５に示すように、送信先端末系中継局のコールサインと、送信元端末系中継局のコールサインと、送信先無線機のコールサインと、送信元無線機のコールサインとを含むヘッダ部Ｈとデータ部Ｄを備える通信フレームＦを生成し、端末系中継局３１に送信する。
【００５８】
このヘッダ部Ｈを生成するため、ユーザは、図６（ａ）に示すように、操作部１０を操作して、送信先の端末系中継局３１の名称と、送信元の端末系中継局３１の名称と、送信先の無線機１５のコールサインと、送信元の無線機１５のコールサインとを入力し、続いて、送信を指示する。
すると、コントローラ６は、図７に示す手順で、ヘッダ部Ｈを生成する。
【００５９】
まず、コントローラ６は、入力された送信元の無線機１５のコールサインと送信先の無線機１５のコールサインとを、ヘッダ部Ｈに設定する（ステップＳ１１）。
【００６０】
次に、コントローラ６は、送信元の端末系中継局３１の名称をキーとして、図４に示すリスト７１を検索し、対応する端末系中継局３１のコールサインを取得し、図６（ｂ）又は（ｃ）に示すように、ヘッダ部Ｈに設定する（ステップＳ１２）。
【００６１】
さらに、コントローラ６は、リストの同一行に登録されているゲートウェイ４１のコールサイン、即ち、送信元端末系中継局３１が属すゾーンのゲートウエイ４１のコールサインを取得する（ステップＳ１３）。
【００６２】
続いて、コントローラ６は、入力された送信先端末系中継局３１の名称をキーとして、リスト７１を検索し、検索した送信先端末系中継局３１に対応するゲートウェイのコールサインを取得する（ステップＳ１４）。
【００６３】
次に、コントローラ６は、今回取り出した送信先の端末系中継局３１が属すゾーンにおけるゲートウェイ４１のコールサインが、ステップＳ１３で取得した送信元の端末系中継局３１が属すゾーンにおけるゲートウェイ４１のコールサインと一致するか否かを判定する（ステップＳ１５）。これは、通信経路がゾーンの外に及んでいるか、ゾーン内にとどまっているかを判断するものである。
【００６４】
両ゲートウェイ４１のコールサインが一致する場合（ステップＳ１５；ＹＥＳ）、通信経路は、同一ゾーン内にとどまっており、コントローラ６は、図６（ｂ）に示すように、送信先中継局コールサインとして、送信先の端末系中継局３１のコールサインをヘッダ部Ｈに設定する（ステップＳ１６）。
【００６５】
一方、両ゲートウェイ４１のコールサインが一致しない場合（ステップＳ１５；ＮＯ）、通信経路は、他ゾーンに及んでおり、コントローラ６は、図６（ｃ）に示すように、送信先中継局コールサインとして、ステップＳ１３で判別した、自ゾーンのゲートウェイ４１のコールサインをヘッダ部Ｈに設定する（ステップＳ１７）。
【００６６】
コントローラ６は、最後に、ヘッダ部Ｈに同期情報等を付加して、ヘッダ部Ｈを完成する（ステップＳ１８）。
続いて、コントローラ６は、リスト７１に、送信元端末系中継局に対応付けて記憶されている、ダウンリンク周波数を受信部４の受信周波数として設定し、さらに、ダウンリンク周波数とオフセット値とからアップリンク周波数を求めて、送信部３に設定する（ステップＳ１９）
【００６７】
コントローラ６は、生成したヘッダ部Ｈに、データ部Ｄを付加して送信フレームＦを生成し、端末系中継局３１に送信する。
また、所望のエリアの不特定局を呼び出す場合、ユーザは、送信元の無線局のコールサインを入力し、送信元及び送信先のレピータとして、それぞれ所望のエリアのレピータを選択する。
この操作に応じ、コントローラ６は、図１６に示す処理手順で相手局コールサインを設定する。
まず、選択された送信元のレピータの名称と、送信先のレピータの名称とを用いてリスト７１を調べ、不特定局を呼び出そうとするエリアが、送信元となる無線局と同じエリアであるか否かを判別する（ステップＳ２１）。
同じエリア内の場合（ステップＳ２１；ＹＥＳ）、相手局のコールサインとして不特定局の呼び出し符号「ＣＱＣＱＣＱ」を設定する（ステップＳ２３）。
一方、不特定局を呼び出そうとするエリアが送信元である無線局のエリア外の場合（ステップＳ２１；ＮＯ）、続いて不特定局を呼び出そうとするエリアが、送信元となる無線局と同じゾーンにあるか否かを判別する（ステップＳ２２）。
同じゾーン内の場合（ステップＳ２２；ＹＥＳ）、相手局のコールサインとして不特定局の呼び出し符号「ＣＱＣＱＣＱ」を設定する（ステップＳ２４）。
同じゾーンではない場合（ステップＳ２２；ＮＯ）、相手局のコールサインとして相手局のレピータコールサインに「／」をつけたものを設定する（ステップＳ２５）。
【００６８】
次に、通信システム１００全体の通信動作を具体例に基づいて説明する。
１）  エリア１の無線機１５１から他ゾーンのエリア４の無線機１５４に通信する場合の動作。
この場合、図８（ａ）に示すように、操作部１０には、送信先端末系中継局３１４の名称「Ｎａ」と、送信元端末系中継局３１１の名称「Ｎｂ」と、送信先無線機１５４のコールサイン「ＡＡＡ」と、送信元無線機１５１のコールサイン「ＢＢＢ」とを入力し、さらに、送信を指示する。
すると、コントローラ６は、図７のフローチャートに示すように、まず、送信元無線機コールサイン「ＢＢＢ」と送信先無線機コールサイン「ＡＡＡ」とを、図８（ｃ）に示すようにヘッダ部Ｈに設定する（ステップＳ１１）。
【００６９】
次に、コントローラ６は、入力された送信元の端末系中継局３１１の名称「Ｎb」をキーとして、図４に示すリスト７１を検索する。その結果、行Ｌ１がヒットする。コントローラ６は、この行Ｌ１の情報Ｒ２として記憶されている端末系中継局のコールサイン「bbb」を取り出して図８（ｃ）に示すようにヘッダ部Ｈに設定する（ステップＳ１２）。さらに、コントローラ６は、この行Ｌ１の情報Ｒ３として記憶されているゲートウェイコールサイン「cccG」を図８（ｂ）に示すように取り出す（ステップＳ１３）。
【００７０】
続いて、コントローラ６は、入力された送信先端末系中継局の名称「Ｎa」をキーとして、図４に示すリスト７１を検索する。その結果、行Ｌ４がヒットする。コントローラ６は、この行Ｌ４の情報Ｒ３として記憶されているゲートウェイのコールサイン「dddG」を取り出す（ステップＳ１４）。
【００７１】
次に、コントローラ６は、ステップＳ１４で取り出した送信先の端末系中継局３１４が属すゾーンＢにおけるゲートウェイ４１Ｂのコールサイン「dddG」が、ステップＳ１３で取り出した送信元の端末系中継局３１１が属すゾーンＡにおけるゲートウェイ４１Ａのコールサイン「cccG」と一致するか否かを判定する（ステップＳ１５）。
【００７２】
この例では、双方のゲートウェイコールサインが一致しないと判別し（ステップＳ１５；ＮＯ）、ヘッダ部Ｈの送信先中継局コールサインに、ステップＳ１３で取り出した、ゾーンＡのゲートウェイ４１Ａのコールサイン「ｃｃｃＧ」を、設定する（ステップＳ１７）。
【００７３】
続いて、同期信号などを付加して、ヘッダ部Ｈを完成する（ステップＳ１８）。
【００７４】
続いて、コントローラ６は、リスト７１の行Ｌ１に設定されているダウンリンク周波数「４３９．５」ＭＨｚを、受信周波数として受信部４にセットし、アップリンク周波数４３４．５（＝４３９．５−５）ＭＨｚを、送信周波数として送信部３にセットする（ステップＳ１９）。
【００７５】
コントローラ６は、作成したヘッダ部Ｈと、音声Ａ／Ｄ・Ｄ／Ａ変換部５から供給される送信データから生成したデータ部Ｄとを結合して、図８（ｄ）に示すように、送信フレームＦを生成し、順次送信する。
【００７６】
端末系中継局３１１は、この通信フレームＦを受信し、ヘッダ部Ｈに含まれる送信先レピータコールサイン「ｃｃｃＧ」により、これを幹線系中継局３２１を介して幹線ＭＬに送出する。
【００７７】
この通信フレームＦは、幹線ＭＬ上を転送され、送信先レピータコールサイン「ｃｃｃＧ」により、ゲートウエイ４１Ａに到達する。
【００７８】
ゲートウエイ４１Ａは、管理サーバ５１に対して送信先の無線機１５４に関する情報を問い合わせ、管理サーバ５１からの問い合わせ結果に基づいて、図９（ａ）に示すように、通信フレームＦの送信先中継局コールサイン「ｃｃｃＧ」を、最終送信先のエリア４の端末系中継局３１４のコールサイン「ａａａ」に変更し、送信元中継局コールサイン「ｂｂｂ」を、送信先のゾーンＢのゲートウエイ４１Ｂのコールサイン「ｄｄｄＧ」に書き換える。
【００７９】
さらに、修正した通信フレームをパケット化し、送信先ＩＰアドレスとして、ゲートウエイ４１ＢのグローバルＩＰアドレス（２２２．１５．１０．６）、送信元ＩＰアドレスとして、ゲートウエイ４１ＡのグローバルＩＰアドレス（１２．３４．５６．７８）を含むＩＰヘッダを付して、図９（ｂ）のＩＰパケットを生成し、インターネットＩＮ上に出力する。
【００８０】
このＩＰパケットは、インターネットＩＮ上を転送され、ゾーンＢのＧＷ４１Ｂに受信される。
【００８１】
ＧＷ４１Ｂは、ＩＰヘッダを除去し、図９（ａ）に示す通信パケットを再生し、これを端末系中継局３１３を介して、ゾーンＢの幹線ＭＬに出力する。この通信フレームＦは、幹線ＭＬ上を転送され、端末系中継局３１４に至り、無線送信される。
【００８２】
無線機１５４は、受信した通信フレームＦのヘッダ部Ｈの送信先無線機コールサインから自己宛であることを判別し、データ部Ｄを再生する。
【００８３】
一方、無線機１５４からの通信フレームＦも、同様の手順により、エリア１の端末系中継局３１１に送信される。端末系中継局３１１は、受信した通信フレームＦを、設定されているダウンリンク周波数４３９．４ＭＨｚで送信する。
無線機１５１の受信部４は、アンテナ１を介してこの信号を受信・復調し、音声Ａ／Ｄ・Ｄ／Ａ変換部５と増幅器７を介してスピーカ９から出力する。
【００８４】
２）  図１の通信システム１００において、エリア１の無線機１５１からエリア４の無線機１５を不特定呼び出しする場合
この場合、図１０（ａ）に示すように、操作部１０には、送信先端末系中継局であるエリア４の中継局の名称「Ｎａ」と、送信元端末系中継局の名称「Ｎｂ」と、送信元無線機コールサイン「ＢＢＢ」と、送信先の無線局としてエリア４の名称「Ｎａ」を入力する。操作部１０で送信が指示がされると、送信先無線機のコールサインとして、エリア４の送信先端末系中継局３１４のコールサイン「ａａａ」の先頭に「／」を付して「／ａａａ」を設定し、コントローラ６は、上述と同様の手順で、送信先中継局のコールサインとしてｃｃｃＧを設定して図１０（ｂ）に示すヘッダ部Ｈを生成する。
ここで、リスト７１を検索するために用いる、送信先端末系中継局名称「Ｎａ」は、図１０（ａ）において送信先無線機コールサインとして設定された名称「Ｎａ」を用いるようにしてもよい。このようにすることで、図１０（ａ）において送信先端末系中継局名称「Ｎａ」の入力を省略することができる。
【００８５】
続いて、コントローラ６は、作成したヘッダ部Ｈと、音声Ａ／Ｄ・Ｄ／Ａ変換部５から供給される送信データとを結合して、送信フレームＦを図１０（ｃ）に示すように生成し、順次送信する。
【００８６】
この通信フレームＦは、上述と同様の手順により、端末系中継局３１４に至る。端末系中継局３１４では、図１０（ｃ）に示す送信先無線機コールサイン「／ａａａ」を「ＣＱＣＱＣＱ」に置き換え、この通信フレームＦを無線送信する。
【００８７】
エリア４内の無線機１５は、受信した通信フレームＦのヘッダ部Ｈの送信先無線機コールサインが、不特定局の呼び出しであることを判別し、受信した通信フレームを復調し、データ部Ｄを再生する。
【００８８】
３）  図１の通信システム１００において、エリア１の無線機１５１から同一ゾーンＡに属すエリア２の無線機１５２に通信する場合。
この場合、図１１（ａ）に示すように、操作部１０には、送信先端末系中継局の名称「Ｎｃ」と、送信元中継局の名称「Ｎｂ」と、送信先無線機コールサイン「ＣＣＣ」と、送信元端末系無線機コールサイン「ＢＢＢ」とを入力し、送信を指示する。
すると、コントローラ６は、以下の手順で、通信フレームＦを生成する。
【００８９】
まず、コントローラ６は、送信元無線機コールサインＢＢＢと送信先無線機コールサインＣＣＣを、図１１（ｂ）に示すように、ヘッダ部Ｈに設定する（ステップＳ１１）。
【００９０】
次に、コントローラ６は、入力された送信元端末系中継局名称「Ｎb」をキーとして、リスト７１を検索する。その結果、行Ｌ１がヒットし、コントローラ６は、この行Ｌ１の情報Ｒ２として記憶されている端末系中継局３１１のコールサイン「bbb」を取り出して図１１（ｂ）に示すように、ヘッダ部Ｈに設定する（ステップＳ１２）。さらに、コントローラ６は、この行Ｌ１の情報Ｒ３として記憶されているゲートウェイのコールサイン「cccG」を取り出す。
【００９１】
続いて、コントローラ６は、入力された送信先端末系中継局３１２の名称「Ｎｃ」をキーとして、リスト７１を検索する。その結果、行Ｌ２がヒットし、コントローラ６は、この行Ｌ２の情報Ｒ３として記憶されているゲートウェイコールサイン「cccG」を取り出し（ステップＳ１４）、両コールサインが一致するか否かを判別する（ステップＳ１５）。
【００９２】
この例では、ステップＳ１３とＳ１４で取り出したコールサインが共に「cccG」であり、両コールサインが一致する（ステップＳ１５；ＹＥＳ）ので、ヘッダ部Ｈにおける送信先中継局コールサインに、リスト７１の行Ｌ２の情報Ｒ２として記憶されているコールサイン、即ち、端末系中継局３１２のコールサイン「ｃｃｃ」を設定する（ステップＳ１７）。
【００９３】
また、コントローラ６は、リスト７１の行Ｌ１に設定されているダウンリンク周波数「４３９．４」ＭＨｚを、受信周波数として受信部４に設定し、アップリンク周波数４３４．４ＭＨｚを、送信周波数として送信部３にセットする（ステップＳ１９）。
【００９４】
コントローラ６は、作成したヘッダ部Ｈと、音声Ａ／Ｄ・Ｄ／Ａ変換部５から供給されるデータから構成されたデータ部Ｄとを結合して、送信フレームＦを図１１（ｃ）に示すように生成し、順次送信する。
【００９５】
端末系中継局３１１は、この通信フレームＦを受信し、ヘッダ部Ｈに含まれる送信先中継局コールサイン「ｃｃｃ」により、これを幹線系中継局３２１を介して幹線ＭＬに送出する。
【００９６】
この通信フレームＦは、幹線ＭＬ上を転送され、送信先レピータコールサインにより、端末系中継局３１２に到達する。
【００９７】
端末系中継局３１２は、これを無線送信する。
【００９８】
無線機１５２は、受信した通信フレームＦのヘッダ部Ｈの送信先無線機コールサインから自己宛であることを判別し、データ部Ｄを再生して、音声を再生する。
【００９９】
４）  通信システム１００において、エリア１の無線機１５１から同じゾーンの別のエリア２の無線機１５を不特定呼び出し（ＣＱ)する場合
この場合、ユーザは、図１２（ａ）に示すように、操作部１０を操作して、送信先端末系中継局３１２の名称「Ｎｃ」と、送信元端末系中継局３１１の名称「Ｎｂ」と、送信元無線機コールサイン「ＢＢＢ」と、送信先無線機のコールサインとして、エリア２の中継局である送信先端末系中継局３１２の名称「Ｎｃ」を設定する。
操作部１０で送信が指示されると、上述と同様の手順により、図１２（ｂ）に示すヘッダ部が形成される。この場合、送信先無線機のコールサインとして、不特定局を呼び出す符号「ＣＱＣＱＣＱ」を自動的に設定する。
ここで、図１２（ｂ）に示す送信先中継局コールサイン「ccc」は、図１２（ａ）において送信先無線機コールサインとして設定された名称「Ｎｃ」によってリスト７１を検索して自動的に設定するようにしてもよい。このようにすることで、図１２（ａ）において送信先端末系中継局３１２の名称「Ｎｃ」の入力を省略することができる。
【０１００】
また、コントローラ６は、リスト７１の行Ｌ１に設定されているダウンリンク周波数を受信部４に設定し、アップリンク周波数を送信部３にセットする。
【０１０１】
続いて、コントローラ６は、作成したヘッダ部Ｈと、音声Ａ／Ｄ・Ｄ／Ａ変換部５から供給される送信データから構成されるデータ部Ｄとを結合して、送信フレームＦを図１２（ｃ）に示すように生成し、順次送信する。
【０１０２】
この通信フレームＦは、端末系中継局３１１、幹線系中継局３２１、幹線ＭＬ、幹線系中継局３２２を介して、端末系中継局３１２、に到達する。
【０１０３】
端末系中継局３１２は、受信した通信フレームＦを無線送信する。
【０１０４】
エリア２の無線機１５は、受信した通信フレームＦのヘッダ部Ｈの送信先無線機コールサインから不特定局の呼び出しであると判別し、データ部Ｄを再生して、音声を再生する。
【０１０５】
５）  通信システム１００において、エリア１の無線機１５１から同じエリア１の無線機１５を不特定呼び出し（ＣＱ)する場合
この場合、ユーザは、図１３（ａ）に示すように、操作部１０を操作して、送信先端末系中継局３１１の名称「Ｎｂ」と、送信元端末系中継局３１１の名称「Ｎｂ」と、送信元無線機コールサイン「ＢＢＢ」と、送信先無線機のコールサインとして、不特定局を呼び出す符号「ＣＱＣＱＣＱ」を設定する。なお、送信先端末系中継局３１１の名称「Ｎｂ」を設定するようにしてもよい。
操作部１０で送信が指示されると、上述と同様の手順により、図１３（ｂ）に示すヘッダ部が形成される。
ここで、リスト７１を検索するために用いる、送信先端末系中継局名称「Ｎｂ」は、図１３（ａ）において送信元端末系中継局名称として設定された名称「Ｎｂ」を用いるようにしてもよい。このようにすることで、図１３（ａ）において送信先端末系中継局３１２の名称「Ｎｂ」の入力を省略することができる。
【０１０６】
また、コントローラ６は、リスト７１の行Ｌ１に設定されているダウンリンク周波数を受信部４に設定し、アップリンク周波数を送信部３にセットする。
【０１０７】
続いて、コントローラ６は、作成したヘッダ部Ｈと、音声Ａ／Ｄ・Ｄ／Ａ変換部５から供給される送信データから構成されるデータ部Ｄとを結合して、送信フレームＦを図１３（ｃ）に示すように生成し、順次送信する。
【０１０８】
この通信フレームＦは、端末系中継局３１１で受信される。
【０１０９】
端末系中継局３１１は、受信した通信フレームＦを無線送信する。
【０１１０】
エリア１の無線機１５は、受信した通信フレームＦのヘッダ部Ｈの送信先無線機コールサインから不特定局の呼び出しであると判別し、データ部Ｄを再生して、音声を再生する。
【０１１１】
以上に説明したように、この実施の形態の無線機１５によれば、図１４に示すように、通信システム１００において、自局１５１から他局１５２に情報Ｊ１を送る場合、自局（無線機）１５のコールサインと、自局が属すエリアの端末系中継局３１の名称と、通信先の無線機が属すエリアの端末系中継局３１の名称と、通信先の無線機１５のコールサインと、だけを意識して通信経路を設定できる。
また、ユーザの所望するエリアの不特定局を呼び出す場合、ユーザは当該エリアに配置されている中継局の名称を通信機で選択するだけでよく、通信経路を把握している必要はない。特に、移動できる通信機に関し、送信元の中継局が変わる場合であっても、その変わった中継局と、不特定局を呼び出そうとする中継局との通信経路を把握しなくてもよい。
【０１１２】
なお、通信経路を設定するに際して、ゲートウェイを経由する必要性の有無を判定するには、ゲートウェイのコールサインを用いなくてもよい。各中継局が属するゲートウェイを特定する情報であれば、他の情報を用いることもできる。例えば、中継局が属するゾーン番号でもよい。図４において、Ｒ０で示すゾーン番号「Ａ」、「Ｂ」で上記の判断ができる。
【０１１３】
また、中継局を特定するために入力する情報は、端末系中継局の名称でなくてもよく、その他の情報でもよい。例えば、端末系中継局のコールサインでもよい。また、入力の方法は、表示されたものを選択する方法、キー入力により手動で入力する方法など、いずれの方法を採ってもよい。
【０１１４】
さらに、通信経路を設定するに際して、ゲートウェイを経由する必要性の有無を容易に判定するため、送信元中継局と送信先中継局とのすべての組み合わせを挙げ、各組み合わせに対し、ゲートウェイを経由する必要性の有無を記憶したリストを設け、入力された送信元中継局と送信先中継局との組み合わせから直ちにこの必要性の有無を検索できるようにしてもよい。
【０１１５】
また、コールサインの設定をより容易にするため、上述のコールサイン自動設定機能に付加して、コントローラ６が抽出したコールサイン（コールサインの対）をＲＡＭ６ｃに蓄積してデータベース化し、さらに、図１５に示すように、モニタ画面１１ａに表示したり、検索可能として、操作部１からのコールサイン設定ボタン１０ａによる選択操作に応答して、コントローラ６が通信フレームＦのヘッダ部Ｈに設定するようにしてもよい。
【０１１６】
さらに、特定局を呼び出す場合において、送信先の無線局のコールサインだけが入力され、送信先のレピータの名称が入力されない場合に、送信先の中継局のコールサインに自局の属するゲートウェイのコールサインを設定するようにしてもよい。この設定により、送信先が自ゾーン内又は自エリア内である場合を含めてインターネットに接続された管理サーバによって送信先無線局コールサインをキーとして送信先中継局のコールサインが調べられる。さらにまた、送信先のレピータの名称が入力されるとされないとにかかわらず、送信先の無線局のコールサインが入力され場合に、送信先の中継局のコールサインに自局の属するゲートウェイのコールサインを設定するようにすることも可能である。
【０１１７】
本実施の形態は、簡便な操作で、通信フレーム（特にヘッダ部Ｈ）を生成することを特徴とするものであり、操作指示手段の構成は任意であり、ハードウエアでも、ソフトウエアでも、ボタンでも、アイコンでも、マウスでも、パッドでも、スイッチでも、キーでも、簡単なワンタッチ、ワンアクション的な動作で指示をできる構成ならば、その構成は任意である。
【０１１８】
なお、図３に示すコントローラ６、送信部３、受信部４等をＤＳＰ（ディジタルシグナルプロセッサ）などを用いて構成してもよい。
【０１１９】
以上の説明では、無線機が信号を送受信するための信号の変調方式としてＧＭＳＫ変調方式を採用する例により説明した。本発明を実施するにあたり、他の変調方式を採用することもできる。本発明を実施するにあたり、信号の変調方式として、ＱＰＳＫ変調方式やその他の変調方式を採用することもできる。
【符号の説明】
【０１２０】
１    アンテナ
２    送受信切替部
３    送信部
４    受信部
５    音声Ａ／Ｄ・Ｄ／Ａ変換部
６    コントローラ
６ａ  ＣＰＵ
６ｂ  不揮発性メモリ
６ｃ  ＲＡＭ
７    増幅器
８    マイク
９    スピーカ
１０    操作部
１１    モニタ
１１ａ  モニタ画面
１５    無線機
７１    リスト
【図１】
2010193315.tif 000003
【図２】
2010193315.tif 000004
【図３】
2010193315.tif 000005
【図４】
2010193315.tif 000006
【図５】
2010193315.tif 000007
【図６】
2010193315.tif 000008
【図７】
2010193315.tif 000009
【図８】
2010193315.tif 000010
【図９】
2010193315.tif 000011
【図１０】
2010193315.tif 000012
【図１１】
2010193315.tif 000013
【図１２】
2010193315.tif 000014
【図１３】
2010193315.tif 000015
【図１４】
2010193315.tif 000016
【図１５】
2010193315.tif 000017
【図１６】
2010193315.tif 000018
【図１７】
2010193315.tif 000019